(57)【要約】      （修正有）【課題】組み立て及び解体に便利な扇風機と扇風機付き空調服を提供する。【解決手段】扇風機は、扇風機前カバー１１と、扇風機後カバー２と、固定盤３と、送風ユニット４とを備えている。扇風機前カバーは、互いに連結された前カバー面と第一接続部とを含み、前カバー面の辺縁部は第一接続部１２の外周面から突出して、突出辺縁１１１を形成する。扇風機後カバーは、互いに連結された後カバー面と第二接続部２２とを含み、第二接続部と第一接続部とが接続固定され、第二接続部の外面に少なくとも二本の短冊状突起２３が一定の距離を隔てて設けられている。固定盤は、内面に少なくとも二本の固定爪３１があり、固定爪が短冊状突起と突出辺縁との間に位置する。送風ユニットは、扇風機前カバーと扇風機後カバーとの間にある空間に配置されている。空調服は服と、服に設けた上記扇風機とを備えている。【選択図】図１
0003222937.tif 000002
【実用新案登録請求の範囲】
【請求項１】
互いに連結された前カバー面と第一接続部とを含み、前記前カバー面の辺縁部が前記第一接続部の外周面から突出して、突出辺縁を形成する扇風機前カバーと、
互いに連結された後カバー面と第二接続部とを含み、前記第二接続部と前記第一接続部とが接続固定され、前記第二接続部の外面に少なくとも二本の短冊状突起が一定の距離を隔てて設けられた扇風機後カバーと、
内面に少なくとも二本の固定爪があり、前記固定爪が前記短冊状突起と突出辺縁の間に位置する固定盤と、
前記扇風機前カバーと前記扇風機後カバーとの間にある空間に配置された送風ユニットとを備えた扇風機。
【請求項２】
前記第一接続部の外面に一定の距離を隔てて複数の固定歯が設けられ、前記第二接続部の内面に前記固定歯とそれぞれ対応した複数の固定溝が設けられ、固定溝の末端に固定穴が設けられ、前記固定歯が前記固定穴と接続固定される請求項１に記載の扇風機。
【請求項３】
前記短冊状突起は導入部と固定部を含み、前記導入部は自由端と前記固定部と連結された接続端とを含み、前記自由端から前記接続端に近づくに連れて、前記導入部と前記後カバー面との距離が徐々に増加する請求項１に記載の扇風機。
【請求項４】
前記固定爪は前記固定盤の前記突出辺縁側の内側壁の辺縁にあり、前記固定盤の反対側の内側壁に、末端補強棒が一定の距離を隔てて設けられており、前記固定爪と前記末端補強棒の水平面への投射が円環形状である請求項１に記載の扇風機。
【請求項５】
前記固定盤の外側壁に複数の滑り止め突起が一定の距離を隔てて設けられている請求項１に記載の扇風機。
【請求項６】
前記送風ユニットは、羽根、モーター、電源プラグ及びＰＣＢを含み、前記モーターの出力端が前記羽根と連結され、前記モーターと前記電源プラグが前記ＰＣＢと連結されている請求項１に記載の扇風機。
【請求項７】
前記電源プラグは、ハウジング、金属提灯バネ、及び金属Ｌ型針を含み、前記金属提灯バネはバネ本体、前記バネ本体と接続された電源負極ピンを含み、前記バネ本体は前記ハウジングの中にあり、前記負極ピンは前記ハウジングの外部まで延び、前記金属Ｌ型針は前記バネ本体に挿入されている請求項６に記載の扇風機。
【請求項８】
前記バネ本体は、中心が凹んだバネ部と、前記バネ部の両側に設けられた絶縁部とを含み、前記バネ部には軸方向に隙間を設けられている請求項７に記載の扇風機。
【請求項９】
前記前面カバーに網状通気口が設けられ、前記通気口は四角形である請求項１に記載の扇風機。
【請求項１０】
服と、服に取り付けられた請求項１〜９のいずれか一項の扇風機とを備えた空調服。
【考案の詳細な説明】
【技術分野】
【０００１】
本考案は空調服分野について、扇風機と上記扇風機付き空調服に関するものである。
【背景技術】
【０００２】
空調服とは、上着の腰部に小型扇風機を設け、外部の空気を服の中に吸い込み、汗蒸発を加速することで皮膚表面の熱を吸収し、使用者を涼しく感じさせる製品である。
現在市販の空調服の扇風機は爪もしくはネジで服に固定されている。爪は締め付け具合の調整が不可能で、取り付け及び取り外しも難しく、服の生地の厚さの変化で、固定が失効する可能性がある。ネジは複数回回す必要があり、取り付け及び取り外しも難しい。そのため、新しい技術方案が必要となる。
【考案の詳細な説明】
【０００３】
本考案は、扇風機と上記扇風機付き空調服である。現技術の取り付け及び取り外しの不便を解決する。
【０００４】
上記の目的を実現するため、技術方案は以下のように構成する。扇風機は、扇風機前カバー、扇風機後カバー、固定盤及び送風ユニットを備える。
【０００５】
扇風機前カバーは、互いに連結された前カバー面と第一接続部とを含み、前記前カバー面の辺縁部は前記第一接続部の外周面から突出して、突出辺縁を形成する。
【０００６】
扇風機後カバーは、互いに連結された後カバー面と第二接続部とを含み、前記第二接続部が前記第一接続部と接続固定され、前記第二接続部の外面に少なくとも二本の短冊状突起が一定の距離を隔てて設けられている。
【０００７】
固定盤は、内面に少なくとも二本の固定爪があり、前記固定爪が前記短冊状突起と突出辺縁の間に位置する。
【０００８】
送風ユニットは、前記扇風機前カバーと扇風機後カバーとの間にある空間に配置されている。
【０００９】
好ましくは、前記第一接続部の外面に一定の距離を隔てて、複数の固定歯が設けられ、前記第二接続部の内面に前記固定歯とそれぞれ対応させて複数の固定溝が設けられ、固定溝の末端に固定穴が設けられ、前記固定歯は前記固定穴と接続固定されている。
【００１０】
好ましくは、前記短冊状突起は導入部と固定部を含む。前記導入部は自由端と前記固定部と連結された接続端とを含む。前記自由端から前記接続端に近づくに連れて、前記導入部と前記後カバー面との距離が徐々に増加する。
【００１１】
好ましくは、前記固定爪は前記固定盤の前記突出辺縁側の内側壁の辺縁にあり、前記固定盤の反対側の内側壁に、末端補強棒が一定の距離を隔てて設けられている。また、前記固定爪と末端補強棒の水平面への投射が円環形状になる。
【００１２】
好ましくは、前記固定盤の外側壁には、複数の滑り止め突起が一定の距離を隔てて設けられている。
【００１３】
好ましくは、前記送風ユニットは、羽根、モーター、電源プラグ、及びＰＣＢを含む。前記モーターの出力端は前記羽根と連結され、前記モーターと電源プラグは前記ＰＣＢと連結されている。
【００１４】
好ましくは、前記電源プラグは、ハウジング、金属提灯バネ、金属Ｌ型針を含む。前記金属提灯バネは、バネ本体、バネ本体と接続された電源負極ピンを含む。前記バネ本体は前記ハウジングの中にあり、前記電源負極ピンはハウジングの外部まで延び、前記金属Ｌ型針は前記バネ本体に挿入される。
【００１５】
好ましくは、前記バネ本体は、中心が凹んだバネ部とバネ部の両側に設けられた絶縁部とを含む。前記バネ部には軸方向に隙間が設けられている。
【００１６】
好ましくは、前記前面カバーに網状の通気口が設けられており、前記通気口は四角形である。
【００１７】
また、本考案は、服と、服に取り付けられた前記したような扇風機を含む空調服を提供する。
【００１８】
現技術と比べ、本考案は下記の利点がある。本考案は、扇風機と上記扇風機付き空調服である。この扇風機は、送風ユニット、扇風機前カバー、扇風機後カバーを取り付けて、固定盤を扇風機後カバーに取り付けるとき、固定盤と扇風機後カバーの外周面とを合わせて、固定盤の前が扇風機前カバーの突出辺縁と接触したら９０度回転させればよい。そのとき、固定爪が短冊状突起と突出辺縁の間に位置して、固定盤はセット完了である。分解するとき、手順を逆にすればよい。このように非常に便利である。扇風機を服に取り付ける場合、まず送風ユニット、扇風機前カバー、扇風機後カバーを取り付ける。そして、服にある穴と扇風機後カバーとを合わせて取り付け、前記した固定盤の取り付けの手順で固定盤を取り付ければよい。つまり、服にある穴の辺縁は固定盤と突出辺縁の間に位置し、取り付け及び分解に非常に便利である。そのため、現技術の取り付け及び取り外しの不便が解決される。
【図面の簡単な説明】
【００１９】
より分かりやすく本考案の実施例及び使用する技術方案を説明するため、実施例及び技術方案を説明する際に用いる図面を簡単に紹介する。当然ながら、下記の図面は本考案の実施例の一例であり、当業者にとって、創造的労働をせずに以下の図面に基づいて他の図面を獲得することが可能である。
【図１】本考案に係る扇風機の断面図である。
【図２】本考案に係る扇風機の分解図である。
【図３】本考案に係る扇風機の扇風機前カバー１、扇風機後カバー２、送風ユニット４の組立図である。
【図４】本考案に係る扇風機の固定盤３の説明図である。
【図５】図２のＡ部分の局部拡大図である。
【図６】本考案に係る扇風機の電源プラグ４３の説明図である。
【図７】本考案に係る扇風機の電源プラグ４３の断面図である。
【図８】本考案に係る扇風機の電源プラグ４３の分解図である。
【考案を実施するための形態】
【００２０】
以下、図面を参照して、本考案の実施例を具体的に説明する。当然ながら、説明する実施例は本考案のすべての実施例ではなく、一部の実施例である。当業者が創造的労働をせずに本実施例に基づいて獲得する他の実施例は本考案の保護範囲内である。
【００２１】
図１〜３と図５が示すように、図１は本考案に係る扇風機の断面図である。図２は本考案に係る扇風機の分解図である。図３は本考案に係る扇風機の扇風機前カバー１、扇風機後カバー２、送風ユニット４の組立図である。図５は図２のＡ部分の局部拡大図である。
【００２２】
本考案が提出する扇風機は以下の部分を含む：
【００２３】
扇風機前カバー１は、連結した前カバー面１１と第一接続部１２を含む。前カバー面１１の辺縁部は第一接続部１２の外周面から突出して、突出辺縁１１１を形成している。前カバー面１１の表面には網状通気口があり（図示せず）、通気口は四角形で、前カバー面１１に対して交差する方向に延在した、複数の四角形のリブを形成している。そのため、通気面積が大きく、強度が高く、辺縁面を貫通するように延在したリブは、ハンドルとして回転させて解体及び組立に便利で、滑り止めができ操作もより便利になる。
【００２４】
図１〜３が示すように、扇風機後カバー２は、互いに連結された後カバー面２１と第二接続部２２とを含む。第二接続部２２と第一接続部１２とは接続固定されている。固定の方法は多種類があるが、本実施例では、第一接続部１２の外面に一定の距離を隔てて、複数の固定歯１２１を設け、第二接続部２２の内面に固定歯１２１とそれぞれ対応する複数の固定溝２２１を設け、固定溝２２１の末端に固定穴２２２を合わせ、固定歯１２１は固定穴２２２と接続固定されている。扇風機前カバー１と扇風機後カバー２はプラスチック製のため、一定の弾力性があり、取り付けのとき、固定歯１２１は対応した固定溝２２１に入り、第一接続部１２と第二接続部２２は圧力によって変形し、固定歯１２１が固定溝２２１に沿って固定溝２２１の末端に入ったら、固定歯１２１が固定穴２２２に入り、第一接続部１２と第二接続部２２が接続される。
【００２５】
図１〜３が示すように、第二接続部２２の外面に少なくとも二本の短冊状突起２３が一定の距離を隔てて設けられている。短冊状突起２３は、導入部２３１と固定部２３２を含む。導入部２３１は、自由端と固定部２３２と連結された接続端とを含む。自由端から前記接続端に近づくに連れて、導入部２３１と前記後カバー面２１との距離が徐々に増加する。導入部２３１は、後続の固定盤３の固定爪３１がうまく短冊状突起２３と突出辺縁１１１の間に入るのをガイドする役割がある。
【００２６】
図４が示すように、図４は本考案に係る扇風機の固定盤３の説明図である。固定盤３の内面には、一定の距離を隔てて少なくとも二本の固定爪３１がある。固定爪３１は、短冊状突起２３と突出辺縁１１１との間に位置する。本考案は螺旋状固定爪のデザインにより、２つの操作で取り付け及び分解を実現できる。つまり、片手は固定盤３を握り、別の片手は扇風機前カバー１と扇風機後カバー２を組み立ててできた扇風機本体を握り、固定盤３を扇風機本体の底部に取り付け、両手を反対方向に９０度回転させれば固定及び分解可能で、非常に便利である。伝統的なボルトデザインは何回か回転しなければ固定及び解体が不可能で、伝統的な爪デザインは締め具合の調整が不可能で、解体が不便で、服の生地の厚さによっては固定効果がなくなる恐れがある。
【００２７】
固定爪３１は固定盤３の突出辺縁１１１側の内側壁の辺縁にあり、固定盤３の反対側の内側壁に、末端補強棒３２が一定の距離を隔てて設けられている。また、固定爪３１と末端補強棒３２の水平面への投射は円環形状になる。末端補強棒３２で固定盤３の強度を上げる。固定盤３の外側壁に一定距離を隔てて設けられた複数の滑り止め突起３３で、固定盤３を回転させるときの滑り止めになる。
【００２８】
送風ユニット４は、扇風機前カバー１と扇風機後カバー２との間にある空間に配置されている。
【００２９】
図１，図２、図６〜８が示すように、図６は本考案に係る扇風機の電源プラグ４３の説明図である。図７は本考案に係る扇風機の電源プラグ４３の断面図である。図８は本考案に係る扇風機の電源プラグ４３の分解図である。
【００３０】
送風ユニット４は、羽根４１、モーター４２、電源プラグ４３、ＰＣＢ４４、及びモーター蓋を含む。モーター４２の出力端は羽根４１と連結され、モーター４２と電源プラグ４３はＰＣＢ４４と連結されている。電源プラグ４３は、ハウジング４３１、金属提灯バネ４３２、金属Ｌ型針４３３を含む。金属提灯バネ４３２はバネ本体４３２１、バネ本体と接続する電源負極ピン４３２２を含む。バネ本体４３２１はハウジング４３１の中にあり、電源負極ピン４３２２はハウジング４３１の外部まで延び、金属Ｌ型針４３３はバネ本体４３２１に挿入される。バネ本体４３２１は中心が凹んだバネ部とバネ部の両側に設けた絶縁部を含む。バネ部には軸方向に隙間４３２３が設けられている。隙間４３２３で、弾性変形空間を増やすことにより、提灯バネ４３２の寿命が伸び、伝統的な電源プラグ４３で移動中によく発生する電力切断のリスクが減る。
【００３１】
また、本考案は空調服を提出し、この空調服は、服と服に取り付けられた前記仕様扇風機を含む。
【００３２】
以上は本考案の好ましい実施例であり、本考案を限定するものではない。本考案の精神及び原則範囲内に発生するいかなる変更及び同質的交換及び改良などは、本考案の保護範囲内とすべきである。
【符号の説明】
【００３３】
１    扇風機前カバー
２    扇風機後カバー
３    固定盤
４    送風ユニット
１１    前カバー面
１２    第一接続部
２１    後カバー面
２２    第二接続部
２３    短冊状突起
３１    固定爪
３２    末端補強棒
３３    滑り止め突起
４１    羽根
４２    モーター
４３    電源プラグ
４４    ＰＣＢ
１１１    突出辺縁
１２１    固定歯
２２１    固定溝
２２２    固定穴
２３１    導入部
２３２    固定部
４３１    ハウジング
４３２    金属提灯バネ
４３３    金属Ｌ型針
４３２１    バネ本体
４３２２    電源負極ピン
４３２３    隙間
【図１】
0003222937.tif 000003
【図２】
0003222937.tif 000004
【図３】
0003222937.tif 000005
【図４】
0003222937.tif 000006
【図５】
0003222937.tif 000007
【図６】
0003222937.tif 000008
【図７】
0003222937.tif 000009
【図８】
0003222937.tif 000010